(57)【特許請求の範囲】
【請求項１】
ＯＳＤ（オン・スクリーン・ディスプレイ）機能を搭載し、所定の設定を行うＯＳＤメニューの画像を、入力される映像信号に基づく表示画像に合成し、合成した合成画像を表示する画像表示方法であり、
前記ＯＳＤメニューの画像における設定が行われている状態において、前記映像信号が入力されなくなった場合、直前に表示されていた前記合成画像に前記設定が行われている状態におけるＯＳＤメニューの画像を合成した合成画像を表示する
ことを特徴とする画像表示方法。
【請求項２】
順次、表示したフレームの合成画像を記憶しておき、前記映像信号が入力されなくなった場合、記憶している前記表示したフレームの前記合成画像に対し、前記設定が行われている状態におけるＯＳＤメニューの画像を合成して表示する
ことを特徴とする請求項１に記載の画像表示方法。
【請求項３】
前記映像信号が供給されない状態において、前記ＯＳＤメニューの画像における設定の処理の終了が検出されるまで、記憶している前記表示したフレームの前記合成画像に対し、前記設定が行われている状態におけるＯＳＤメニューの画像を合成して表示する
ことを特徴とする請求項２に記載の画像表示方法。
【請求項４】
前記映像信号の同期信号から、当該映像信号に基づく表示画像の解像度が検出できない場合、前記映像信号が入力されなくなったと判定する
ことを特徴とする請求項１から請求項３のいずれか一項に記載の画像表示方法。
【請求項５】
表示するフレームの合成画像のデータを第１記憶部に格納し、当該第１記憶部に記憶されていたフレームの直前のフレームの合成画像のデータを第２記憶部に記憶させる際、
前記映像信号が供給されない場合、入力される前記表示画像のデータに変え、全ての画素を黒とするブランクデータを前記第１記憶部に対して書き込み、
前記ＯＳＤメニューの画像における設定の処理の終了が検出されない状態において、前記第１記憶部に前記ブランクデータが記憶され、かつ前記第２記憶部に前記合成画像が記憶されている場合、
前記第２記憶部に記憶されている前記合成画像に対し、前記設定が行われている状態におけるＯＳＤメニューの画像を合成して表示画面に表示する
ことを特徴とする請求項１から請求項４のいずれか一項に記載の画像表示方法。
【請求項６】
ＯＳＤ機能を搭載し、所定の設定を行うＯＳＤメニューの画像を入力される映像信号に基づく表示画像に合成させ、合成した合成画像を表示する画像表示装置であり、
前記表示画像に前記ＯＳＤメニューの画像を合成する合成部と、
前記ＯＳＤメニューの画像における設定が行われている状態において、前記映像信号が入力されなくなった場合、直前に表示されていた前記合成画像に前記設定が行われている状態におけるＯＳＤメニューの画像を合成した合成画像を表示する表示画像制御部と
を有することを特徴とする画像表示装置。
【発明の詳細な説明】
【技術分野】
【０００１】
本発明は、ディスプレイ、プロジェクタなどの画像を表示する画像表示方法及び画像表示装置に関する。
【背景技術】
【０００２】
画像表示装置は、他の装置から入力される映像信号を表示画面に表示する際、この表示画面を観察するユーザが、表示画面に表示される表示画像の色、表示画像の水平・垂直方向の位置、コントラスト、明るさなどの表示画像の設定及び調整を、ＯＳＤ(On Screen Display)メニューに従って行なう。
このＯＳＤメニューは、入力される映像信号に基づいた表示画像における所定の領域に重畳した画像として表示されている。ユーザは、上述した表示画像の設定及び調整を、画像表示装置本体のボタンやつまみあるいはタッチパネルなどにより、表示画像におけるＯＳＤメニューの画像を操作することにより行なう。【０００３】
画像表示装置は、ＯＳＤメニューの画像を表示する際、入力される映像信号に基づいた表示画像に重畳、すなわちＯＳＤメニューの画像を合成して、表示画面に合成画像として表示する処理を行なっている。
ここで、ＯＳＤメニューの画像が合成された合成画像も、映像信号に基づいた表示画像の垂直同期信号及び水平同期信号の各々の周波数に基づいて表示される際の解像度が判定される。この垂直同期信号及び水平同期信号の各々の周波数は、画像表示装置に供給される映像信号から検出される。【０００４】
このため、映像信号供給する供給源の突然の消失などにより、映像信号が供給されなくなると、映像信号に基づいた表示画像を表示する垂直同期信号及び水平同期信号の各々の周波数が得られなくなる。これにより、画像表示装置が映像信号に基づく表示画像の解像度が判定できず、表示画面に表示する表示画像を生成できず、ＯＳＤメニューが重畳された合成画像を表示画面に表示させる処理を継続することができなくなる。
したがって、ユーザがＯＳＤメニューの画像を表示して、表示画面の表示画像の設定及び調整を行なっている場合であっても、映像信号の供給が無くなると、画像表示装置が合成画像を表示できなくなり、表示画面が全黒状態へと暗転する。これにより、ＯＳＤメニューも表示されなくなることで、表示画面の表示画像の設定及び調整におけるユーザビリティが損なわれる。【０００５】
また、画像表示装置の起動時、映像信号のフォーマットが変化した場合などにおいて、映像信号の画像から垂直同期信号及び水平同期信号の各々の周波数が検出できない場合も、表示画像が正常に表示できないため、ＯＳＤメニューの画像も表示されない。
上述した垂直同期信号及び水平同期信号の各々の周波数が検出できない映像信号に対応するため、映像信号の供給源に対して調整用の映像信号を要求し、この調整用の映像信号から垂直同期信号及び水平同期信号の各々の周波数を検出し、表示画像を表示する画像表示装置が開示されている（例えば、特許文献１を参照）。
【先行技術文献】
【特許文献】
【０００６】
【特許文献１】特開２００２−４１０１０号公報
【発明の概要】
【発明が解決しようとする課題】
【０００７】
しかしながら、特許文献１の表示装置は、映像信号の供給源が消失していない場合の対応であるため、映像信号が供給されなくなった場合には対応ができない。
そのため、画像表示装置の起動時、映像信号のフォーマットが変化した場合などにおいて、ＯＳＤメニューの画像が表示されなくなる。表示画面の表示画像の設定及び調整におけるユーザビリティが損なわれるという問題は解決されない。【０００８】
上述の課題を鑑み、本発明は、ＯＳＤメニューにより表示画面の表示画像の設定及び調整を行っている際に、映像信号が供給されなくなった場合でも、ＯＳＤメニューにおける設定及び調整の終了まで、ＯＳＤメニューを表示画面に表示する画像表示方法および画像表示装置を提供することを目的とする。
【課題を解決するための手段】
【０００９】
本発明は、ＯＳＤ（オン・スクリーン・ディスプレイ）機能を搭載し、所定の設定を行うＯＳＤメニューの画像を、入力される映像信号に基づく表示画像に合成し、合成した合成画像を表示する画像表示方法であり、前記ＯＳＤメニューの画像における設定が行われている状態において、前記映像信号が入力されなくなった場合、直前に表示されていた前記合成画像に前記設定が行われている状態におけるＯＳＤメニューの画像を合成した合成画像を表示することを特徴とする画像表示方法である。
【００１０】
本発明は、ＯＳＤ機能を搭載し、所定の設定を行うＯＳＤメニューの画像を入力される映像信号に基づく表示画像に合成させ、合成した合成画像を表示する画像表示装置であり、前記表示画像に前記ＯＳＤメニューの画像を合成する合成部と、前記ＯＳＤメニューの画像における設定が行われている状態において、前記映像信号が入力されなくなった場合、直前に表示されていた前記合成画像に前記設定が行われている状態におけるＯＳＤメニューの画像を合成した合成画像を表示する表示画像制御部とを有することを特徴とする画像表示装置である。
【発明の効果】
【００１１】
本発明によれば、ＯＳＤメニューにより表示画面の表示画像の設定及び調整を行っている際に、映像信号が供給されなくなった場合でも、ＯＳＤメニューにおける設定及び調整の終了まで、 映像信号が供給されなくなる直前に表示していた映像信号に基づく表示画像に対し、ＯＳＤメニューを合成した合成画像を継続して表示されるので、表示画像の設定及び調整の間、ＯＳＤメニューが表示画面に表示されるため、従来に比較してユーザビリティを向上させることができる。
【図面の簡単な説明】
【００１２】
【図１】本発明の実施形態による画像表示装置１の構成例を示す図である。
【図２】画像表示装置１が表示画像とＯＳＤメニューの画像とを合成した合成画像を表示画面に表示する処理例を示すフローチャートである。
【図３】本発明の実施形態の概念を説明する図である。
【発明を実施するための形態】
【００１３】
以下、本発明の実施形態による画像表示装置について図面を参照して説明する。図１は、本発明の実施形態による画像表示装置１の構成例を示す図である。
図１に示すように、画像表示装置１は、映像信号入力部１０１、入力切替部１０２、画素変換部１０３、メニュー操作部１０４、表示画像制御部１０５、画像合成部１０６、メニュー画像生成部１０７、第１記憶部１０８、第２記憶部１０９、画像出力部１１０及び画像表示部１１１の各々を備えている。
【００１４】
映像信号入力部１０１は、デジタル形式及びアナログ形式の各々における異なる種類の複数の伝送形式の映像信号（ＩＮ＃１、ＩＮ＃２、…、ＩＮ＃ｎ）それぞれに対応する映像入力インターフェース（入力系統）を有しており、映像信号がアナログ形式の場合、デジタル形式の映像信号（ＩＩＮ＃１、ＩＩＮ＃２、…、ＩＩＮ＃ｎ）に変換して出力する。ここで、デジタル形式の伝送形式としては、例えば、ＤＶＩ（Digital Visual Interface)−Ｄ、ＩＥＥＥ１３９４、ＨＤＭＩ（登録商標、High-Definition Multimedia Interface）、イーサネット（登録商標）及びＳＣＳＩ（Small Computer System Interface）などがある。アナログ形式の伝送形式としては、例えば、Ｓ端子、Ｄ端子、ＶＧＡ(Video Graphics Array)、ＤＶＩ−Ｉなどがある。
【００１５】
入力切替部１０２は、映像信号入力部１０１から供給される映像信号（ＩＩＮ＃１、ＩＩＮ＃２、…、ＩＩＮ＃ｎ）のいずれかを、後段の画素変換部１０３に対して出力するか、すなわち表示画像として用いるかの切り替えを行う。ここで、入力切替部１０２は、図示しない制御部からの切替制御に対応し、出力端子の切り替えを行い、映像信号入力部１０１から供給される映像信号（ＩＩＮ＃１、ＩＩＮ＃２、…、ＩＩＮ＃ｎ）のいずれかを、画素変換部１０３に出力する。
【００１６】
画素変換部１０３は、入力切替部１０２から供給される映像信号から、表示画像のデータを抽出として出力する。また、画素変換部１０３は、映像信号に含まれる同期信号（水平同期信号及び垂直同期信号）に基づき、表示画像の解像度及び同期（水平同期及び垂直同期）タイミングを算出し、この解像度に対応した上記表示画像のデータを出力する。ここで、画素変換部１０３は、表示画像のデータと、算出した表示画像の解像度及び同期（水平同期及び垂直同期）タイミングとを表示画像制御部１０５に対して出力する。
【００１７】
表示画像制御部１０５は、画素変換部１０３から供給される解像度により、映像信号が入力切替部１０２から正常に入力されているか否かの判定を行う。ここで、表示画像制御部１０５は、解像度が正常な数値範囲である場合、正常に映像信号が入力されていると判定し、一方、解像度が正常な数値範囲でない場合、正常に映像信号が入力されていると判定する。
【００１８】
また、表示画像制御部１０５は、次に表示画面に表示するフレームの映像信号が画素変換部１０３から入力された際、現在の表示画面に表示している第１記憶部１０８に記憶されている合成画像を、第２記憶部１０９に対して書き込んで記憶させる。
表示画像制御部１０５は、正常に映像信号が入力されていないことを検出した時点において、メニュー操作部１０４による所定の設定処理が行われている場合、第１記憶部１０８に記憶されている解像度と同様の解像度であり、全ての画素を黒とするブランクデータを、第１記憶部１０８に書き込んで記憶させる。
【００１９】
表示画像制御部１０５は、第１記憶部１０８と第２記憶部１０９との各々に記憶されているデータを比較する。そして、第１記憶部１０８にブランクデータが書き込まれていない場合、ＯＳＤメニューによる設定処理が行われており、かつ映像信号が消失していないと判定する。表示画像制御部１０５は、ＯＳＤメニューによる設定処理が行われており、かつ映像信号が消失していない場合、入力される表示画像のデータを画像合成部１０６に対して出力し、画像合成部１０６から供給される合成画像のデータを、第１記憶部１０８に対して書き込んで記憶させる。
【００２０】
一方、表示画像制御部１０５は、第１記憶部１０８にブランクデータが書き込まれ、かつ第２記憶部１０９に合成画像が記憶されている場合、ＯＳＤメニューによる設定処理が行われているが、映像信号が消失していると判定する。表示画像制御部１０５は、第２記憶部１０９に記憶されている合成画像のデータを画像合成部１０６に対して出力し、画像合成部１０６から供給される合成画像のデータを、第２記憶部１０８に対して書き込んで記憶させる。
また、表示画像制御部１０５は、画素変換部１０３が算出した同期（水平同期及び垂直同期）タイミングに合わせて、画像合成部１０６に対して合成画像を生成させる。
【００２１】
画像合成部１０６は、表示画像制御部１０５から供給される表示画像あるいは合成画像の所定の画像領域に対して、メニュー画像生成部１０７から供給されるＯＳＤメニューの画像を合成（表示画像の場合）、あるいは再合成（合成画像の場合）し、合成画像として表示画像制御部１０５に出力する。このとき、画像合成部１０６は、表示画像制御部１０５から供給される表示画像あるいは合成画像の解像度に、ＯＳＤメニューの画像の解像度を合わせて合成画像を生成する。
【００２２】
メニュー画像生成部１０７は、メニュー操作部１０４から供給される、所定の設定の処理を行う操作信号に対応したＯＳＤメニューの画面を生成し、画像合成部１０６に対して出力する。このＯＳＤメニューは、例えば、入力される映像信号を表示画面に表示する際、この表示画面に表示される表示画像の色、表示画像の水平・垂直方向の位置、コントラスト、明るさなどの表示画像の設定及び調整を行うために用いられる。
【００２３】
メニュー操作部１０４は、例えば、ユーザがＯＳＤメニューを読み出すＯＳＤボタンを押下することにより、ＯＳＤメニューを表示することを示す操作信号を、メニュー画像生成部１０７に対して出力する。また、メニュー操作部１０４は、所定のキー操作やボタン操作が行われている場合、そのキー操作やボタン操作に対応する操作信号をメニュー画像生成部１０７に対して出力する。また、メニュー操作部１０４は、ＯＳＤメニューによる操作がユーザにより行われている間、すなわちユーザがＯＳＤメニューを消去するボタンを押下するまで、表示画像制御部１０５に対して、ＯＳＤメニューによる所定の設定の処理が行われていることを示す操作継続信号を出力する。上記キー及びボタンの各々は、画像表示装置１本体あるいは画像表示装置１を操作するリモコンなどに設けられている。
【００２４】
第１記憶部１０８及び第２記憶部１０９の各々は、例えば、ＶＲＡＭ（Video Random access memory）であり、画像表示装置の画像を表示する画像のデータを蓄積するメモリであり、本実施形態においては表示画像あるいは合成画像が書き込まれて記憶される。
【００２５】
画像出力部１１０は、表示画像制御部１０５からの制御信号により、第１記憶部１０８に記憶されている表示画像あるいは合成画像のデータと、第２記憶部１０９に記憶されている合成画像のデータとのいずれかを、画像表示部１１１に対して出力する。
【００２６】
画像表示部１１１は、例えば、液晶表示パネル、あるいはプロジェクタの液晶パネルなどである。
【００２７】
図２は、画像表示装置１が表示画像とＯＳＤメニューの画像とを合成した合成画像を表示画面に表示する処理例を示すフローチャートである。
【００２８】
ステップＳ１：
映像信号入力部１０１は、入力される映像信号（ＩＮ＃１、ＩＮ＃２、…、ＩＮ＃ｎ）の各々を、入力切替部１０２に対して映像信号（ＩＩＮ＃１、ＩＩＮ＃２、…、ＩＩＮ＃ｎ）それぞれ入力切替部１０２に対して出力する。
そして、入力切替部１０２は、映像信号（ＩＩＮ＃１、ＩＩＮ＃２、…、ＩＩＮ＃ｎ）から、制御部により設定されている映像信号を、画素変換部１０３に対して供給する。
【００２９】
ステップＳ２：
画素変換部１０３は、供給される映像信号から表示画像のデータを抽出し、表示画像制御部１０５に対し、この抽出した表示画像のデータを出力する。また、画素変換部１０３は、映像信号から同期信号（水平同期信号及び垂直同期信号）を抽出し、同期信号に基づいて同期（水平同期及び垂直同期）タイミングを算出する。また、画素変換部１０３は、水平同期信号及び垂直同期信号の各々を用いて、表示画像の解像度を算出（抽出）する。
【００３０】
ステップＳ３：
表示画像制御部１０５は、画素変換部１０３が算出した解像度が所定の数値範囲内にあるか否か、すなわち映像信号が不正であるか否かの判定を行う。このとき、表示画像制御部１０５は、解像度が所定の数値範囲内にある場合、映像信号が不正でないと判定し、処理をステップＳ５へ進める。一方、表示画像制御部１０５は、解像度が所定の数値範囲内にない場合、映像信号が不正であると判定し、処理をステップＳ４へ進める。
【００３１】
ステップＳ４：
表示画像制御部１０５は、映像信号が不正であると判定した場合、第１記憶部１０８に対して、表示画像あるいは合成画像のデータに代えて、ブランクデータを書き込んで記憶させる。
【００３２】
ステップＳ５：
表示画像制御部１０５は、メニュー操作部１０４から操作継続信号が供給されているか否かの判定、すなわちＯＳＤメニューを用いて所定の設定処理が実行中であるか否かの判定を行う。表示画像制御部１０５は、上記操作継続信号が供給されている場合、ＯＳＤメニューを用いて所定の設定処理が実行中であるため、処理をステップＳ６へ進める。一方、表示画像制御部１０５は、上記操作継続信号が供給されていない場合、ＯＳＤメニューを用いた所定の設定処理が行われていないため、処理をステップＳ１２へ進める。
【００３３】
ステップＳ６：
メニュー画像生成部１０７は、メニュー操作部１０４から供給される操作信号に対応するＯＳＤメニューの画像を生成する。そして、メニュー画像生成部１０７は、生成したＯＳＤメニューの画像を、画像合成部１０６に対して出力する。
【００３４】
ステップＳ７：
表示画像制御部１０５は、第１記憶部１０８及び第２記憶部１０９の各々のデータを確認し、映像信号が消失したか否かの判定を行う。ここで、表示画像制御部１０５は、第１記憶部１０８及び第２記憶部１０９の各々に、それぞれ現在表示しているフレームの表示画像（あるいは合成画像）、直前に表示されたフレームの表示画像（あるいは合成画像）が記憶されているかを確認する。
このとき、表示画像制御部１０５は、第１記憶部１０８及び第２記憶部１０９の各々に、それぞれ現在表示しているフレームの表示画像（あるいは合成画像）、直前に表示されたフレームの表示画像（あるいは合成画像）が記憶されている場合、処理をステップＳ８へ進める。一方、表示画像制御部１０５は、第１記憶部１０８にブランクデータが書き込まれ、第２記憶部１０９に直前に表示されたフレームの表示画像（あるいは合成画像）が記憶されている場合、処理をステップＳ９へ進める。
【００３５】
ステップＳ８：
表示画像制御部１０５は、画素変換部１０３から供給された表示画像のデータを、同期タイミングに対応して画像合成部１０６へ出力する。
画像合成部１０６は、表示画像制御部１０５から供給される表示画像と、メニュー画像生成部１０７から供給されるＯＳＤメニューの画像とを合成し、合成した画像を合成画像として表示画像制御部１０５に対して出力する。そして、表示画像制御部１０５は、合成画像を生成した後、処理をステップＳ１２へ進める。
【００３６】
ステップＳ９：
表示画像制御部１０５は、第２記憶部１０９を参照し、直前のフレームで表示された合成画像を読み出し、読み出した合成画像のデータを、同期タイミングに対応して画像合成部１０６へ出力する。
画像合成部１０６は、表示画像制御部１０５から供給される直前のフレームで表示された合成画像に対し、メニュー画像生成部１０７から供給されるＯＳＤメニューの画像を再合成し、再合成した画像を合成画像として表示画像制御部１０５に対して出力する。そして、表示画像制御部１０５は、合成画像を生成した後、処理をステップＳ１０へ進める。
【００３７】
ステップＳ１０：
画像合成部１０６は、再合成した画像を合成画像のデータを、第２記憶部１０９に書き込んで記憶させ、第２記憶部１０９のデータ更新を行う。
【００３８】
ステップＳ１１：
表示画像制御部１０５は、画像出力部１１０に対し、第２記憶部１０９に記憶されている合成画像のデータを表示させる制御信号を出力し、処理をステップＳ１へ進める。
これにより、画像出力部１１０は、同期タイミングに対応し、第２記憶部１０９から合成画像のデータを読み出し、画像表示部１１１に出力する。
そして、画像表示部１１１は、表示画面に対して、合成画像にＯＳＤメニューの画像を再合成した合成画像を表示する。
【００３９】
ステップＳ１２：
画像合成部１０６は、表示画像制御部１０５から供給される映像信号と、メニュー画像生成部１０７から供給されるＯＳＤメニューの画像とを合成し、合成した合成画像のデータを、第１記憶部１０９に書き込んで記憶させ、第１記憶部１０８のデータ更新を行う。
【００４０】
ステップＳ１３：
表示画像制御部１０５は、画像出力部１１０に対し、第１記憶部１０８に記憶されている表示画像（ＯＳＤメニューによる設定が行われていない場合）あるいは合成画像（ＯＳＤメニューによる設定が行われている場合）のデータを表示させる制御信号を出力し、処理をステップＳ１４へ進める。
これにより、画像出力部１１０は、同期タイミングに対応し、第１記憶部１０９から表示画像あるいは合成画像のデータを読み出し、画像表示部１１１に出力する。
そして、画像表示部１１１は、表示画面に対して、表示画像あるいは構成画像にＯＳＤメニューの画像を再合成した合成画像を、所定のフレームとして表示する。
【００４１】
ステップＳ１４：
表示画像制御部１０５は、第１記憶部１０８に記憶されている表示画像あるいは合成画像のデータを、第２記憶部１０９に書き込む。すなわち、表示画像制御部１０５は、第１記憶部１０８のデータを第２記憶部１０８に対して複写する。そして、表示画像制御部１０５は、処理をステップＳ１へ進める。
【００４２】
上述した処理により、映像信号が正常に供給され、ＯＳＤメニューにより所定の設定の処理が行われていない場合、第１記憶部１０８には、画像表示部１１１に表示されているフレームの表示画像が記憶されている。また、第２記憶部１０９には、画像表示部１１１に表示されているフレームの直前のフレームの表示画像が記憶されている。また、映像信号が正常に供給され、ＯＳＤメニューにより所定の設定の処理が行われている場合、第１記憶部１０８には、画像表示部１１１に表示されているフレームの合成画像が記憶されている。また、第２記憶部１０９には、画像表示部１１１に表示されているフレームの直前のフレームの合成画像が記憶されている。
【００４３】
また、映像信号が正常に供給されておらず、ＯＳＤメニューにより所定の設定の処理が行われていない場合、第１記憶部１０８及び第２記憶部１０９の各々には、ブランクデータが記憶されている。また、映像信号が正常に供給されておらず、ＯＳＤメニューにより所定の設定の処理が行われている場合、第１記憶部１０８には、ブランクデータが記憶されている。また、第２記憶部１０９には、映像信号が正常に供給されないことが検出される直前において画像表示部１１１に表示されていたフレームの合成画像が記憶されている。
【００４４】
上述した構成により、本実施形態によれば、ＯＳＤメニューによる所定の設定処理が行われている際に、外部装置から映像信号が供給されなくなった場合、ＯＳＤメニューの画像を合成する表示画像として、第２記憶部１０９における合成画像が画像合成部１０６に対して供給され、ＯＳＤメニューの画像がこの合成画像の解像度により再合成された合成画像が画像表示部１１１に表示されるため、ＯＳＤメニューによる所定の設定処理を継続することが可能となり、従来のように、映像信号が供給されなくなった時点で、画像表示部１１１にＯＳＤメニューの画像が表示されなくなることで、ＯＳＤメニューによる設定処理ができなくなる状況が無くなり、ユーザの設定処理のユーザビリティを向上させることができる。
【００４５】
図３は、本発明の実施形態の概念を説明する図である。図３において、本発明の実施形態における画像表示装置１は、ＯＳＤ機能を搭載し、所定の設定を行うＯＳＤメニューの画像を、入力される映像信号に基づく表示画像に合成させて表示する画像表示装置であり、表示画像制御部１０５、画像合成部１０６及び画像出力部１１０の各々を備えている。画像表示装置１において、ＯＳＤメニューによる所定の設定処理が行われている際、画像合成部１０６がＯＳＤメニューの画像を合成する画像として、表示画像制御部１０５が、映像信号が正常に供給されている場合、この映像信号から抽出した表示画像を画像合成部１０６へ出力し、一方、映像信号が正常に供給されていない場合、記憶していた直前のフレームの合成画像を画像合成部１０６へ出力する。
【００４６】
これにより、ＯＳＤメニューによる所定の設定処理が行われている際に、映像信号が正常に供給されなくなった場合、記憶されていた合成画像に対してＯＳＤメニューの画像を再合成して、再合成結果を画像出力部１１０から出力するため、従来のようにＯＳＤメニューが突然表示されなくなることが無くなり、ユーザが画像表示装置の表示画面に表示されるＯＳＤメニューの画像により、所定の設定処理を継続させることができ、ユーザに対するユーザビリティが向上する。
【００４７】
また、図１の画像表示装置における液晶パネルにおける表示ムラを補正する処理を、画像表示装置における制御機能を実現するためのコントロールを外部コンピュータシステムによって行ってもよい。なお、ここでいう「コンピュータシステム」とは、ＯＳや周辺機器等のハードウェアを含むものとする。
【００４８】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００４９】
上述した画像表示方法及び画像表示装置は、ＯＳＤ機能を有している画像を表示する装置に適用することができる。特に、設定途中において映像信号の供給が無くなっても、メニューの画像が継続して表示されることでユーザビリティが向上する装置として、ＯＳＤメニューによる所定の設定処理が標準機能として設けられているディスプレイ装置やプロジェクタ装置など用途に適している。
【符号の説明】
【００５０】
１…画像表示装置
１０１…映像信号入力部
１０２…入力切替部
１０３…画素変換部
１０４…メニュー操作部
１０５…表示画像制御部
１０６…画像合成部
１０７…メニュー画像生成部
１０８…第１記憶部
１０９…第２記憶部
１１０…画像出力部
１１１…画像表示部
【図１】
0006769665.tif 000002
【図２】
0006769665.tif 000003
【図３】
0006769665.tif 000004